(57)【要約】【課題】本発明は、ランオフポリュータントを効率的に低減するための螺旋状のサンクン・グリーンベルトを開示する。【解決手段】主に螺旋状のサンクン・グリーンベルトと逆円錐台形状の遮水ろ過壁とを含み、螺旋状のサンクン・グリーンベルトは螺旋状のプラントベルトとサンクン・グリーンベルトの底部のプラントベルトとからなり、遮水ろ過壁は外側から２〜３層の材質の異なる石粒層からなる。逆円錐台形状の遮水ろ過壁は、周辺から浸透したランオフポリュータントを初歩的に傍受して濾過することができ、螺旋状のプラントベルトの形状と傾斜設計と相まって、重力下では、サンクン・グリーンベルトに入る雨水と上流からの流出水は全て螺旋状に流れて浸潤し、浸透水の浸出時間と浸透経路を大きく延ばし、サンクン・グリーンベルトの上流からランオフポリュータントを低減するための能力を向上させることができる。【選択図】図１
2019529744.tif 000002
【特許請求の範囲】
【請求項１】
螺旋状のサンクン・グリーンベルト（１）と遮水ろ過壁（２）とを含むことを特徴とする、ランオフポリュータントを効率的に低減するための螺旋状のサンクン・グリーンベルト。
【請求項２】
前記螺旋状のサンクン・グリーンベルト（１）には螺旋状のプラントベルト（３）と底部のプラントベルト（４）とを含むことを特徴とする、請求項１に記載のランオフポリュータントを効率的に低減するための螺旋状のサンクン・グリーンベルト。
【請求項３】
前記遮水ろ過壁（２）が逆円錐台形状を呈し、前記遮水ろ過壁（２）が半径方向に外側から内側に向かって順に配置された砂利層（５）と、及び/又はセラムサイト層（６）と、ゼオライト層（７）とからなる２〜３層の石粒層ろ過壁であることを特徴とする、請求項１または２に記載のランオフポリュータントを効率的に低減するための螺旋状のサンクン・グリーンベルト。
【請求項４】
前記螺旋状のプラントベルト（３）と底部のプラントベルト（４）上に水生植物を植え付けることを特徴とする、請求項３に記載のランオフポリュータントを効率的に低減するための螺旋状のサンクン・グリーンベルト。
【請求項５】
前記螺旋状のプラントベルト（３）が半回転当たりに８°〜１０°の垂直勾配を有することを特徴とする、請求項４に記載のランオフポリュータントを効率的に低減するための螺旋状のサンクン・グリーンベルト。
【請求項６】
前記底部のプラントベルト（４）の充填材料が上から下へ順に人工的埋め戻し土壌層（１０）、不織ジオテキスタイルクッション層（９）、砂層（１１）、不織ジオテキスタイルクッション層（９）、石材層（１２）であり、前記石材層（１２）が上から下へ順に２〜３種類の材質の異なる石粒からなることを特徴とする、請求項２に記載のランオフポリュータントを効率的に低減するための螺旋状のサンクン・グリーンベルト。
【請求項７】
前記石材層（１２）が上から下へ順にゼオライト層（７）と、及び/又はセラミアサイト層（６）と 、砂利層（５）とからなることを特徴とする、請求項６に記載のランオフポリュータントを効率的に低減するための螺旋状のサンクン・グリーンベルト。
【請求項８】
前記不織ジオテキスタイルクッション層（９）がニードルパンチ不織布とPEフィルムとを複合したジオテキスタイルからなることを特徴とする、請求項７に記載のランオフポリュータントを効率的に低減するための螺旋状のサンクン・グリーンベルト。 
【請求項９】
前記遮水ろ過壁（２）には水流の浸潤方向に沿って均等に排水管（８）が分布されていることを特徴とする、請求項１又は２に記載のランオフポリュータントを効率的に低減するための螺旋状のサンクン・グリーンベルト。
【請求項１０】
前記排水管（８）として、HDPE透水性ベローズを用いることを特徴とする、請求項９に記載のランオフポリュータントを効率的に低減するための螺旋状のサンクン・グリーンベルト。
【発明の詳細な説明】
【技術分野】
【０００１】
本発明は、雨水汚染制御の分野に関わり、より具体的には、ランオフポリュータントを効率的に低減する螺旋状のサンクン・グリーンベルトに関わる。
【背景技術】
【０００２】
降雨の流出による汚染は、現時点で最も重要な非点源汚染であり、その汚染発生のランダム性と汚染物質の不確実性に世界中の政府からますます注目を集め、環境保全関係者が多くの人力と物質を投入して流出する汚染につき様々な方法で研究されて来た。汚染物質の供給源に応じて、降雨の流出による汚染は、都市流出による汚染、農業生産による汚染、農村の家畜糞尿による汚染、森林の地表流出による汚染、鉱区や建設現場の地表流出による汚染及びその他の汚染などに分けられる。
【０００３】
中国における都市化の顕著な加速と都市規模の継続的な拡大に伴い、都市降雨の流出は水の体を受ける都市の河川や湖沼等の３番目に大きな汚染源となっている。農業生産活動では、降雨や灌漑の影響を受けて農地内のあらゆる種類の汚染物質が地表流出、農地排水、土壌浸潤によって各種の水域に流れて行く。米国環境保護庁の調査によると、地表中の全リンの４７％と全窒素の５２％は農業流出からのものである。
【０００４】
近年、人工的湿地システム、急速浸透システム、及び土壌帯水層処理システム等の処理方式、地表水汚染及び都市部と地方の降雨流出による汚染の低減に関する研究が注目されている。サンクン・グリーンベルトは標高が周囲の路面よりも低い公共の緑色空間であり、理念としてはオープンスペースを利用して雨水を引き受け、貯蔵することによって、流出及び払出を低減する役割を果たし、一般には、サンクン・グリーンベルトは地下水を補充、流出を規制、洪水を拘束、及びランオフポリュータントを低減する効果を有する。スポンジ都市の発展に伴い、サンクン・グリーンベルトはますます注目を集めて研究されている、例えば、特許出願番号は２０１３１０２４０６８８.６であり、「山岳都市フラッシング流出処理に適したサンクン・グリーンベルト」と題された中国発明特許には、転向コンクリート壁の前端にバッフル回転軸とバッフルバネとを設け、バッフル回転軸には防水フラップを取り付け、防水フラップがバッフル回転軸のとこで曲げられ、防水フラップの一方が雨水排水溝に、もう一方がサンクン・グリーンベルトの地下水注入口に配置されていることによって、 サンクン・グリーンベルトに入る初期及び中期の雨水分流を実現し、サンクン・グリーンベルトを豪雨の破壊から守ることを開示され、出願番号は２０１６１００７８１５６.０であり、「都市の初期雨水流出汚染を低減するためのサンクン・グリーンベルト」と題された中国発明特許には、複数の遮水壁及び各遮水壁に左右横切って開口を設計されたことによって、サンクン・グリーンベルトの地表ランオフポリュータントを低減するための能力強化を開示された。
【０００５】
サンクン・グリーンベルトについての研究が多くなって来ているにもかかわらず、既存の各種類サンクン・グリーンベルトがある程度降雨による流出汚染物の処理に対応できるが、依然と明らかな欠点や不足があり、上記技術的解決策の汚染要素の吸収が包括的ではなく、水量調整が不十分であり、汚染のろ過と吸収が不十分である。
【発明の概要】
【０００６】
１.解決すべき技術的課題
既存技術の中に存在する汚染物質の吸収が包括的ではなく、水量調整が不十分であり、汚染のろ過と吸収が不十分であるという問題点に鑑みてなされた本発明は、ランオフポリュータントを効率的に低減する螺旋状のサンクン・グリーンベルトであり、汚染吸収の種類が多く、水量調整が合理的、及びろ過と吸収が充分できる効果を有する。
【０００７】
２.技術的な解決策
本発明の目的は、以下の技術的解決策によって達成される。
ランオフポリュータントを効果的に低減する螺旋状のサンクン・グリーンベルトには螺旋状のサンクン・グリーンベルトと遮水ろ過壁を含む。
【０００８】
さらに、前記螺旋状のサンクン・グリーンベルトには螺旋状のプラントベルト及び底部のプラントベルトを含む。
【０００９】
さらに、前記遮水ろ過壁が逆円錐台形状で、遮水ろ過壁が半径方向に外側から内側に向かって順に配置された砂利層と、及び/又はセラムサイト層と、ゼオライト層とからなる２〜３層の石粒層ろ過壁であり、３つの材料の粒径及び空隙率とも異なる石材層によって汚染された流出物を層毎にろ過する。先ずはろ過壁を汚染物質によって詰まらせないように粒径の大きい固体汚染物を傍受して、次に粒径の小さい汚染物質を徐々に濾過し、最終的には汚染された流出物がサンクン・グリーンベルトのプラントベルトに流れ込み、汚染物質のさらなる傍受と濾過を行う。
【００１０】
さらに、前記螺旋状のプラントベルト及び底部のプラントベルトには水生植物が植えられ、水生植物は窒素吸収能力及びリン吸収能力の強い、浄水能力の強い植物から選定されている。
【００１１】
さらに、螺旋状のプラントベルトは、半回転当たり８°〜１０°の垂直勾配を有し、重力下で雨水と上流の地表流出が全て螺旋状のプラントベルトを移動軌跡として過剰流出し、浸透して、螺旋状のプラントベルトは流入される水の浸透時間及び浸透経路を大きく延ばすことによって、サンクン・グリーンベルトの上流からランオフポリュータントを低減する能力を向上させることができる。
【００１２】
さらに、底部のプラントベルトの充填材料が上から下へ順に人工的埋め戻し土壌層、不織ジオテキスタイルクッション層、砂利層、不織ジオテキスタイルクッション層、石材層であり、前記石材層が上から下へ順に材質の異なる２〜３種類の石粒からなっている。
【００１３】
さらに、石材層は上から下へ順にゼオライト層と、及び/又はセラムサイト層と、砂利層とからなっている。
【００１４】
さらに、不織ジオテキスタイルクッション層はニードルパンチ不織布とPEフィルムとを複合したジオテキスタイルからなっている。
【００１５】
さらに、遮水ろ過壁は水流の浸潤方向に沿って均等に排水管を分布してあり、天然水が多すぎて、サンクン・グリーンベルトの中の水流が浸透に間に合わない場合、 排水管によって溜め水を直ちに払出され、サンクン・グリーンベルトの使用寿命と環境適応性を向上させた。
【００１６】
さらに、排水管はHDPE透水性ベローズを選定し使用され、軟質バネ排水管と比較すれば、HDPE透水性ベローズは耐腐食性が強いと同時に、ダブルコルゲート構造が排水管の圧縮強度を効果的に向上させることができ、排水システムが外部の圧力によって変形され、排水に影響することがなくなる。
【００１７】
３.本発明の効果
従来の技術に対する本発明の利点は以下の通りである。
（１）本発明は螺旋状のプラントベルトを斜面に設計することにより、地表汚染流出と天然水がサンクン・グリーンベルトでの浸透経路と浸透滞留時間を延長し、それでサンクン・グリーンベルトのプラントベルトの吸着及び傍受の役割を十分果たし、汚染物質の削減率を高め、初期及び中期の都市部及び農村部における雨水流出汚染の水力負荷を軽減できる。
【００１８】
（２）螺旋状グリーンプラントベルトはサンクン・グリーンベルトの水力保持時間を延長すると共に、サンクン・グリーンベルトの水浸透量を増加させ、サンクン・グリーンベルトの貯水容量を向上させることができ、下流の排水圧力を低下させ、下流の洪水ピーク流量を減少させることに役立っている。
【００１９】
（３）本発明で設計された逆円形のテープル状遮水ろ過壁は、粒度の異なる２〜３層の異なる材質からなり、空隙率の大きな石粒が最も外側に位置して、先ずはろ過壁を汚染物質によって詰まらせないように粒径の大きい固体汚染物を傍受して、次に粒径の小さい汚染物質を徐々に濾過し、最終的には汚染された流出物がサンクン・グリーンベルトのプラントベルトに流れ込み、汚染物質のさらなる傍受と濾過を行う。濾過は階層的であり、濾過効果は良好である。
【００２０】
（４）本発明においては、螺旋状のプラントベルト及び底部のプラントベルトには水生植物が植えられ、水生植物は水生カンナやクレスのような窒素/リン吸収能力の強い、浄水能力の強い植物から選定され、濾過及び浄化の効果は良好である。
【００２１】
（５）螺旋状のプラントベルトは、半回転当たり８°〜１０°の垂直勾配を有し、重力下で雨水と上流の地表流出が全て螺旋状のプラントベルトを移動軌跡として過剰流出し、浸透して、螺旋状のプラントベルトは流入される水の浸透時間及び浸透経路を大きく延ばすことによって、サンクン・グリーンベルトの上流からランオフポリュータントを低減する能力を向上させることができる。
【００２２】
（６）不織ジオテキスタイルクッション層はニードルパンチ不織布とPEフィルムとを複合したジオテキスタイルからなり、PEフィルムコンポジットジオテキスタイルは水流を通過させ、ニードルパンチング不織布は優れた導水機能を有し、土壌の内部に排水路を形成し、土壌のレイアウトに残った液体や気体を外部へ排出することができる。
【００２３】
（７）遮水ろ過壁は水流の浸潤方向に沿って均等に排水管を分布してあり、天然水が多すぎて、サンクン・グリーンベルトの中の水流が浸透に間に合わない場合、 排水管によって溜めた水を直ちに払出され、サンクン・グリーンベルトの使用寿命と環境適応性を向上させた。
【００２４】
（８）排水管はHDPE透水性ベローズを選定し使用され、軟質バネ排水管と比較すれば、HDPE透水性ベローズは耐腐食性が強いと同時に、ダブルコルゲート構造が排水管の圧縮強度を効果的に向上させることができ、排水システムが外部の圧力によって変形され、排水に影響することがなくなる。
【図面の簡単な説明】
【００２５】
【図１】図１は本発明に係る螺旋状のサンクン・グリーンベルトの断面構造概略図である。
【図２】図２は本発明に係る螺旋状のサンクン・グリーンベルトの三次元構造概略図である。
【図３】図３は本発明に係る螺旋状のサンクン・グリーンベルトの上面図である。
【図４】図４は本発明に係る砂利層の部分構造概略図である。
【発明を実施するための形態】
【００２６】
以下、本発明を添付図面及び詳細な実施形態によって詳しく説明する。
【００２７】
実施例１
サンクン・グリーンベルトについての研究が多くなって来ているにもかかわらず、既存の各種類サンクン・グリーンベルトがある程度降雨による流出汚染物の処理に対応できるが、次のように依然と明らかな欠点や不足がある。（１）既存のサンクン・グリーンベルトには水の浄化に大きな影響を及ぼす特定の水生植物の標的選択をしていないので、植生による特定の汚染元素の吸収と利用の機能に寄与していない。（２）既存のサンクン・グリーンベルトの水力学的保持時間は短く、植物及び土壌充填剤による汚染物質の完全な吸収及びろ過に寄与していない、また、短い水力学的保持時間はサンクン・グリーンベルトによる雨水の蓄積及び下流への洪水ピーク流量の調整に寄与していない。
【００２８】
本発明は、ランオフポリュータントを効率的に低減する螺旋状のサンクン・グリーンベルトであり、汚染吸収の種類が多く、水量調整が合理的、及びろ過と吸収が充分できる効果を有する。
【００２９】
図１-４に示すように、ランオフポリュータントを効率的に低減するための螺旋状のサンクン・グリーンベルトには螺旋状のサンクン・グリーンベルト１と、遮水ろ過壁２とを含み、遮水ろ過壁２が逆円錐台形状で、螺旋状のサンクン・グリーンベルト１には螺旋状のプラントベルト３と底部のプラントベルト４とを含む。螺旋状のサンクン・グリーンベルト１の設計標高は周辺の路面より２５０mm低く、螺旋状のプラントベルト３とサンクン・グリーンベルトの底部のプラントベルト４には水生植物が植え付けられ、選択された水生植物が強力な窒素とリンの吸収能力と高い浄水能力を持つ水生カンナとクレスである。
【００３０】
螺旋状のプラントベルト３は半回転ごとに８°〜１０°の垂直勾配を有するように設計されている。ここで、螺旋状のプラントベルト３の垂直勾配は半回転ごとに１０°となるように設計され、重力下で上流からの地表流出と雨水が螺旋状のサンクン・グリーンベルトを流れる時、全て螺旋状のプラントベルトを移動軌跡として螺旋状に過剰流出し、浸透して、螺旋状のプラントベルト３は流入される水の浸透時間及び浸透経路を大きく延ばすことによって、サンクン・グリーンベルトの上流からランオフポリュータントを低減する能力を向上させることができる。
【００３１】
サンクン・グリーンベルトの底部のプラントベルト４の下に高さ３００mmの良好な透水性を有する人工的埋め戻し土壌層１０が埋め戻され、人工的埋め戻し土壌層１０の下に高さ３０mmの砂層１１が埋め戻されて、砂層１１の下が石材層１２で、石材層１２が上から下へ順にゼオライト層７と、セラムサイト層６と、砂利層５との３層からなり、各層の石材の厚みとも４０mmで、材質の異なる充填材の間に不織ジオテキスタイルマット９を敷設するか、或いは砂層１１と石材層１２との間に不織ジオテキスタイルマット９を敷設する。ニードルパンチ不織布とPEフィルムを複合したジオテキスタイルには不織布とPEフィルムが１：１、不織布とPEフィルムが２：１の仕様を有し、主要な原材料はポリエステルステープルファイバーニードルパンチ不織布、及びPEフィルムによって複合されるもので、主な用途は浸透防止である。PEフィルム複合ジオテキスタイルは水が流れることを可能にして、ニードルパンチ不織布は優れた水案内機能を有し、土壌の内部に排水路を形成し、土壌のレイアウトに残った液体や気体を外部へ排出すると同時に、２つの異なる材料間に土壌の流失がないようにすることができる。石材層１２の底部には垂直排水管８が２本配置され、天然水が多すぎて、サンクン・グリーンベルトの中の水流が浸透に間に合わない場合、 排水管８によって直ちに払出され、サンクン・グリーンベルトの使用寿命と環境適応性を向上させた。
【００３２】
遮水ろ過壁２は半径方向の外側から内側に向かって順に配置された砂利層５、及び/又はセラムサイト層６、ゼオライト層７からなる２〜３層の石粒層ろ過壁である。本発明では外側から内側へ順に砂利層５と、セラムサイト層６と、ゼオライト層７とからなり、各層の厚さが２０mmで、空隙率の最も大きい砂利層５が最も外側に、空隙率の最も小さいゼオライト層７が最も内側に、セラムサイト層６がその中間に位置して、上流からの汚染流出がサンクン・グリーンベルトに入る時、まず逆円形テープル状の遮水ろ過壁２を経過し、３つの材料の粒径及び空隙率とも異なる石材層によって汚染された流出物を層毎にろ過し、先ずはろ過壁を汚染物質によって詰まらせないように粒径の大きい固体汚染物を傍受して、次に粒径の小さい汚染物質を徐々に濾過し、最終的には汚染された流出物がサンクン・グリーンベルトのプラントベルトに流れ込み、汚染物質のさらなる傍受と濾過を行う。半径方向に沿って水流の浸潤方向の下流側の半逆円形防水ろ過壁に、母線及び直径方向に向かって排水管８が９本均等に分布され、天然水が多すぎて、サンクン・グリーンベルトの中の水流が浸透に間に合わない場合、排水管によって溜めた水を直ちに払出され、サンクン・グリーンベルトの使用寿命と環境適応性を向上させた。
【００３３】
遮水ろ過壁２は排水管８を水の流入方向に均等に分布されている。排水管８はHDPE透水性ベローズを選定し使用している。前記排水管８は径５０mmのHDPE透水性ベローズを選定、使用し、配管の先端に排水管の詰り防止と大きい汚染物質の傍受をするためのストレーナを設置してあり、軟質バネ排水管と比較すれば、HDPE透水性ベローズは耐腐食性が強いと同時に、ダブルコルゲート構造が排水管の圧縮強度を効果的に向上させることができ、排水システムが外部の圧力によって変形され、排水に影響することがなくなる。
【００３４】
螺旋状のサンクン・グリーンベルトが流出汚染を低減する間に、逆円形テーブル状の遮水ろ過壁２がランオフポリュータントを初歩的な傍受を行い、砂利層５、セラムサイト層６及びゼオライト層７により、逆円形テーブル状の遮水ろ過壁２のアンモニア窒素除去率が約７０％に達し、同時に約５５％の窒素とリンを吸着することができる。螺旋状のプラントベルトは浸出経路を延長することによってこのサンクン・グリーンベルトの貯水量、及び水生植物のカンナ及びクレスによる流出汚染物質の低減率を増加させ、この螺旋状のプラントベルトを経由する地表流出窒素及びリンの除去率は約６５％に達している。
【００３５】
実施例２
図１-４に示すように、ランオフポリュータントを効率的に低減するための螺旋状のサンクン・グリーンベルトには螺旋状のサンクン・グリーンベルト１と、遮水ろ過壁２とを含み、遮水ろ過壁２が逆円錐台形状で、螺旋状のサンクン・グリーンベルト１には螺旋状のプラントベルト３と底部のプラントベルト４とを含む。螺旋状のサンクン・グリーンベルト１の設計標高は周辺の路面より２５０mm低く、螺旋状のプラントベルト３とサンクン・グリーンベルトの底部のプラントベルト４には水生植物が植え付けられ、選択された水生植物が強力な窒素とリンの吸収能力と高い浄水能力を持つ水生カンナとアイリスである。
【００３６】
螺旋状のプラントベルト３は半回転ごとに８°〜１０°の垂直勾配を有するように設計されている。ここで、螺旋状のプラントベルト３の垂直勾配は半回転ごとに８°となるように設計され、重力下で上流からの地表流出と雨水が螺旋状のサンクン・グリーンベルトを流れる時、全て螺旋状のプラントベルトを移動軌跡として螺旋状に過剰流出し、浸透して、螺旋状のプラントベルト３は流入される水の浸透時間及び浸透経路を大きく延ばすことによって、サンクン・グリーンベルトの上流からランオフポリュータントを低減する能力を向上させることができる。
【００３７】
サンクン・グリーンベルトの底部のプラントベルト４の下に高さ２００mmの良好な透水性を有する人工的埋め戻し土壌層１０が埋め戻され、人工的埋め戻し土壌層１０の下に高さ３０mmの砂層１１が埋め戻されて、砂層１１の下が石材層１２で、石材層１２が上から下へ順にゼオライト層７と、砂利層５との２層からなり、各層の石材の厚みとも４０mmで、材質の異なる充填材の間に不織ジオテキスタイルマット９を敷設するか、或いは砂層１１と石材層１２との間に不織ジオテキスタイルマット９を敷設する。ニードルパンチ不織布とPEフィルムを複合したジオテキスタイルには不織布とPEフィルムが１：１、不織布とPEフィルムが２：１の仕様を有し、主要な原材料はポリエステルステープルファイバーニードルパンチ不織布、及びPEフィルムによって複合されるもので、主な用途は浸透防止である。PEフィルム複合ジオテキスタイルは水が流れることを可能にして、ニードルパンチ不織布は優れた水案内機能を有し、土壌の内部に排水路を形成し、土壌のレイアウトに残った液体や気体を外部へ排出すると同時に、２つの異なる材料間に土壌の流失がないようにすることができる。石材層１２の底部には垂直排水管８が２本配置され、天然水が多すぎて、サンクン・グリーンベルトの中の水流が浸透に間に合わない場合、排水管８によって直ちに払出され、サンクン・グリーンベルトの使用寿命と環境適応性を向上させた。
【００３８】
遮水ろ過壁２は半径方向の外側から内側に向かって順に配置された砂利層５と、及び/又はセラムサイト層６と、ゼオライト層７とからなる２〜３層の石粒層ろ過壁である。本発明では外側から内側へ順に砂利層５と、ゼオライト層７とからなり、各層の厚さが２２mmで、空隙率の最も大きい砂利層５が最も外側に、空隙率の最も小さいゼオライト層７が最も内側に位置して、上流からの汚染流出がサンクン・グリーンベルトに入る時、まず逆円形テープル状の遮水ろ過壁２を経過し、２つの材料の粒径及び空隙率とも異なる石材層によって汚染された流出物を層毎にろ過し、先ずはろ過壁を汚染物質によって詰まらせないように粒径の大きい固体汚染物を傍受して、次に粒径の小さい汚染物質を徐々に濾過し、最終的には汚染された流出物がサンクン・グリーンベルトのプラントベルトに流れ込み、汚染物質のさらなる傍受と濾過を行う。半径方向に沿って水流の浸潤方向の下流側の半逆円形防水ろ過壁に、母線及び直径方向に向かって排水管８が６本均等に分布され、天然水が多すぎて、サンクン・グリーンベルトの中の水流が浸透に間に合わない場合、排水管によって溜めた水を直ちに払出され、サンクン・グリーンベルトの使用寿命と環境適応性を向上させた。
【００３９】
遮水ろ過壁２は排水管８を水の流入方向に均等に分布されている。排水管８はHDPE透水性ベローズを選定し使用している。前記排水管８は径６０mmのHDPE透水性ベローズを選定、使用し、配管の先端に排水管の詰り防止と大きい汚染物質の傍受をするためのストレーナを設置してあり、軟質バネ排水管と比較すれば、HDPE透水性ベローズは耐腐食性が強いと同時に、ダブルコルゲート構造が排水管の圧縮強度を効果的に向上させることができ、排水システムが外部の圧力によって変形され、排水に影響することがなくなる。
【００４０】
螺旋状のサンクン・グリーンベルトが流出汚染を低減する間に、逆円形テーブル状の遮水ろ過壁２がランオフポリュータントを初歩的な傍受を行い、砂利層５、及びゼオライト層７により、逆円形テーブル状の遮水ろ過壁２のアンモニア窒素除去率が約６０％に達し、同時に約５０％の窒素とリンを吸着することができる。螺旋状のプラントベルトは浸出経路を延長することによってこのサンクン・グリーンベルトの貯水量、及び水生植物のカンナ及びアイリスによる流出汚染物質の低減率を増加させ、この螺旋状のプラントベルトを経由する地表流出窒素及びリンの除去率は約６０％に達している。
【００４１】
以上、概略的に本発明及びその実施態様について説明したが、この説明は限定的なものではなく、本発明の本質又は基本特性から逸脱しなければ、他の特定の形態でも本発明を実現することができる。添付図面に示したものは本発明の実施形態の１つだけで、実際の構造はこれに限定されなく、特許請求範囲内の添付図面の表記は特許請求に係わるものに限定されていない。したがって、当業者がそれに触発され、本発明の目的から逸脱されていなく、意図せずにこの技術的解決策に類似した構造と実施形態を設計された場合、全て本特許の保護の範囲内にあるべきである。
【符号の説明】
【００４２】
１．螺旋状のサンクン・グリーンベルト、２．遮水ろ過壁、３．螺旋状のプラントベルト、４．底部のプラントベルト、５．砂利層、６．セラムサイト層、７．ゼオライト層、８．排水管、９．不織ジオテキスタイルクッション、１０．人工的埋め戻し土壌層、１１．砂層、１２．石材層。
【図１】
2019529744.tif 000003
【図２】
2019529744.tif 000004
【図３】
2019529744.tif 000005
【図４】
2019529744.tif 000006
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
螺旋状のサンクン・グリーンベルト（１）と遮水ろ過壁（２）とを含み、
前記螺旋状のサンクン・グリーンベルト（１）には螺旋状のプラントベルト（３）と底部のプラントベルト（４）とを含み、
前記螺旋状のプラントベルト（３）が半回転当たりに８°〜１０°の垂直勾配を有することを特徴とする、ランオフポリュータントを効率的に低減するための螺旋状のサンクン・グリーンベルト。
【請求項２】
前記遮水ろ過壁（２）が逆円錐台形状を呈し、前記遮水ろ過壁（２）が半径方向に外側から内側に向かって順に配置された砂利層（５）と、及び/又はセラムサイト層（６）と、ゼオライト層（７）とからなる２〜３層の石粒層ろ過壁であることを特徴とする、請求項１に記載のランオフポリュータントを効率的に低減するための螺旋状のサンクン・グリーンベルト。
【請求項３】
前記螺旋状のプラントベルト（３）と底部のプラントベルト（４）上に水生植物を植え付けることを特徴とする、請求項２に記載のランオフポリュータントを効率的に低減するための螺旋状のサンクン・グリーンベルト。
【請求項４】
前記底部のプラントベルト（４）の充填材料が上から下へ順に人工的埋め戻し土壌層（１０）、不織ジオテキスタイルクッション層（９）、砂層（１１）、不織ジオテキスタイルクッション層（９）、石材層（１２）であり、前記石材層（１２）が上から下へ順に２〜３種類の材質の異なる石粒からなることを特徴とする、請求項１に記載のランオフポリュータントを効率的に低減するための螺旋状のサンクン・グリーンベルト。
【請求項５】
前記石材層（１２）が上から下へ順にゼオライト層（７）と、及び/又はセラミアサイト層（６）と 、砂利層（５）とからなることを特徴とする、請求項４に記載のランオフポリュータントを効率的に低減するための螺旋状のサンクン・グリーンベルト。
【請求項６】
前記不織ジオテキスタイルクッション層（９）がニードルパンチ不織布とPEフィルムとを複合したジオテキスタイルからなることを特徴とする、請求項５に記載のランオフポリュータントを効率的に低減するための螺旋状のサンクン・グリーンベルト。 
【請求項７】
前記遮水ろ過壁（２）には水流の浸潤方向に沿って均等に排水管（８）が分布されていることを特徴とする、請求項１に記載のランオフポリュータントを効率的に低減するための螺旋状のサンクン・グリーンベルト。
【請求項８】
前記排水管（８）として、HDPE透水性ベローズを用いることを特徴とする、請求項７に記載のランオフポリュータントを効率的に低減するための螺旋状のサンクン・グリーンベルト。
【国際調査報告】
2019529744.tif 000007
2019529744.tif 000008
2019529744.tif 000009
2019529744.tif 000010